(57)【特許請求の範囲】
【請求項１】
固定電極と、該固定電極と接触させることで通電する可動電極とが設けられた多回路開閉器の同相間を接続する共通母線と、前記可動電極の基端を接続する電源側の接続端子とが接続される共通母線接続部に装着される接続部絶縁カバーであって、
四角筒状の母線被覆部と、
前記母線被覆部の下面に軸方向に亘って形成された切込部と、
前記母線被覆部の下面の中央に前記接続端子の端部が嵌合する嵌合孔を有する嵌合部と、
前記母線被覆部の上面に前記共通母線を前記接続端子に固定する固定部材を収納する収納部と、を備える
ことを特徴とする接続部絶縁カバー。
【請求項２】
請求項１に記載の接続部絶縁カバーにおいて、
前記嵌合部の軸方向の両側面には、前記接続端子を支持する支持部材に設置される台座部を備える
ことを特徴とする接続部絶縁カバー。
【請求項３】
請求項２に記載の接続部絶縁カバーにおいて、
前記共通母線には、収縮チューブが装着され、前記収縮チューブの各端部は、前記母線被覆部内に位置するように前記母線被覆部が前記共通母線の外周面に密着するとともに、前記嵌合部の前記嵌合孔が前記接続端子の外周面に密着し、前記台座部が前記支持部材の上面に密着するようにした
ことを特徴とする接続部絶縁カバー。
【請求項４】
請求項１〜３のいずれか一項に記載の接続部絶縁カバーにおいて、
前記共通母線の端部に装着される前記母線被覆部は、前記端部側を閉鎖する閉鎖部を備える
ことを特徴とする接続部絶縁カバー。
【請求項５】
請求項１〜４のいずれか一項に記載の接続部絶縁カバーを、前記共通母線と前記接続端子とが接続される共通母線接続部に装着される
ことを特徴とする開閉器。
【発明の詳細な説明】
【技術分野】
【０００１】
本発明は、多回路開閉器の共通母線を絶縁する接続部絶縁カバー及び開閉器に関する。
【背景技術】
【０００２】
多回路開閉器では、固定電極と、該固定電極と接触させることで通電する可動電極とからなる回路開閉部がケース内に回路毎に配置されている。これら固定電極と可動電極とは接続端子にそれぞれ接続されている。そして、電源側の接続端子には、相毎に同一の共通母線によって同一相が接続されている。また、負荷側の接続端子には、ケースを貫通するブッシングに接続導体を介してそれぞれ接続されている（例えば、特許文献１参照）。
【０００３】
特許文献１に記載の多回路開閉器では、電源側の接続端子と共通母線との共通母線接続部において電極が露出しているとともに、ブッシングの内端と接続導体とのブッシング接続部において電極が露出している。
【先行技術文献】
【特許文献】
【０００４】
【特許文献１】特開２００７−２３４３７７号公報
【発明の概要】
【発明が解決しようとする課題】
【０００５】
ところで、上記特許文献１に記載の多回路開閉器では、電源側の接続端子と共通母線との共通母線接続部において、異相間及び対地間の絶縁を確保する必要がある。そこで、この多回路開閉器では、回路開閉部を囲むように箱状の絶縁バリヤが取り付けられている。また、異相間における絶縁を確保するために、共通母線接続部の異相間にも絶縁バリヤが設置される。
【０００６】
しかしながら、開閉器の小型化、部品点数の削減、取付作業性の改善、作業工数の削減等の要望によって共通母線接続部の絶縁バリヤを廃止しながら、絶縁を確保できる接続部絶縁カバー及び開閉器が求められている。
【０００７】
本発明は、こうした実情に鑑みてなされたものであり、その目的は、共通母線接続部の絶縁バリヤを廃止しながら、絶縁を確保できる接続部絶縁カバー及び開閉器を提供することにある。
【課題を解決するための手段】
【０００８】
以下、上記目的を達成するための手段及びその作用効果について説明する。
請求項１に記載の発明は、固定電極と、該固定電極と接触させることで通電する可動電極とが設けられた多回路開閉器の同相間を接続する共通母線と、前記可動電極の基端を接続する電源側の接続端子とが接続される共通母線接続部に装着される接続部絶縁カバーであって、四角筒状の母線被覆部と、前記母線被覆部の下面に軸方向に亘って形成された切込部と、前記母線被覆部の下面の中央に前記接続端子の端部が嵌合する嵌合孔を有する嵌合部と、前記母線被覆部の上面に前記共通母線を前記接続端子に固定する固定部材を収納する収納部と、を備えることをその要旨としている。
【０００９】
同構成によれば、母線被覆部の切込部を拡開して共通母線接続部に装着することで、母線被覆部によって共通母線の上面と側面とが覆われる。このため、共通母線接続部の上面及び側面、すなわち異相間における絶縁を確保することができる。そして、共通母線接続部に装着された接続部絶縁カバーの嵌合部は、接続端子の端部を嵌合するので、接続端子の端部が覆われる。このため、共通母線接続部の下部、すなわち対地間における絶縁を確保することができる。よって、共通母線接続部の絶縁バリヤを廃止することができるので、開閉器の小型化、部品点数の削減を行うことができる。加えて、母線被覆部の上面にボルト等の固定部材の収納部を備えたので、ボルト等の固定部材を含めて共通母線接続部を確実に覆い、絶縁を確保することができる。
【００１０】
請求項２に記載の発明は、請求項１に記載の接続部絶縁カバーにおいて、前記嵌合部の軸方向の両側面には、前記接続端子を支持する支持部材に設置される台座部を備えることをその要旨としている。
【００１１】
同構成によれば、接続部絶縁カバーを共通母線接続部に装着した際に、接続端子を支持する支持部材に台座部が設置されるので、接続端子の端部が確実に覆われて、絶縁を確保することができる。
【００１２】
請求項３に記載の発明は、請求項２に記載の接続部絶縁カバーにおいて、前記共通母線には、収縮チューブが装着され、前記収縮チューブの各端部は、前記母線被覆部内に位置するように前記母線被覆部が前記共通母線の外周面に密着するとともに、前記嵌合部の前記嵌合孔が前記接続端子の外周面に密着し、前記台座部が前記支持部材の上面に密着するようにしたことをその要旨としている。
【００１３】
同構成によれば、共通母線接続部を確実に覆い、絶縁を確保することができる。
請求項４に記載の発明は、請求項１〜３のいずれか一項に記載の接続部絶縁カバーにおいて、前記共通母線の端部に装着される前記母線被覆部は、前記端部側を閉鎖する閉鎖部を備えることをその要旨としている。
【００１４】
同構成によれば、共通母線の端部においては母線被覆部の端部側に閉鎖部を備えるので、共通母線の端部を覆い、絶縁を確保することができる。
請求項５に記載の発明は、請求項１〜４のいずれか一項に記載の接続部絶縁カバーを、前記共通母線と前記接続端子とが接続される共通母線接続部に装着されることをその要旨としている。
【００１５】
同構成によれば、共通母線と接続端子とが接続される共通母線接続部において、異相間及び対地間の絶縁を確保することができる。よって、共通母線接続部の絶縁バリヤを廃止することができるので、開閉器の小型化、部品点数の削減を行うことができる。
【発明の効果】
【００１６】
本発明によれば、接続部絶縁カバーによって共通母線接続部の絶縁バリヤを廃止しながら、絶縁を確保できる。
【図面の簡単な説明】
【００１７】
【図１】多回路開閉器の概略構成を示す正面図。
【図２】多回路開閉器の概略構成を示す２−２断面図。
【図３】共通母線接続部に中間部用の接続部絶縁カバーを装着した状態を示す斜視図。
【図４】中間部用の接続部絶縁カバーの形状を示す上面図。
【図５】中間部用の接続部絶縁カバーの形状を示す５−５断面図。
【図６】中間部用の接続部絶縁カバーの形状を示す６−６断面図。
【図７】共通母線接続部に端部用の接続部絶縁カバーを装着した状態を示す斜視図。
【図８】端部用の続部絶縁カバーの形状を示す上面図。
【図９】端部用の接続部絶縁カバーの形状を示す９−９断面図。
【図１０】端部用の接続部絶縁カバーの形状を示す１−１面図。
【図１１】端部用の接続部絶縁カバーの形状を示す背面図。
【発明を実施するための形態】
【００１８】
以下、本発明に係る接続部絶縁カバーを多回路開閉器に装着した一実施形態について図１〜図１１を参照して説明する。
図１及び図２に示されるように、多回路開閉器は、５回路分の回路開閉部１１が並列にケース１０内に配置されている。回路開閉部１１は、上下方向において設置され、固定電極１２と、該固定電極１２と接触させることで通電する可動電極１３とが設けられている。すなわち、固定電極１２が下側に設置されているとともに、可動電極１３が上側に設置されている。
【００１９】
固定電極１２は、下側接続端子２１の一部である。各下側接続端子２１は、ケース１０を貫通する樹脂製のブッシング２２の内端に金属製の接続導体２３を介してそれぞれ接続されている。ブッシング２２の内部には、導電部材が貫装されている。接続導体２３は、屈曲したプレートである。ブッシング２２の内端に接続導体２３が、固定部材としてのボルト２４によって固定されている。ブッシング２２の内端と接続導体２３との接続部分をブッシング接続部２０という。ブッシング接続部２０は通電部が露出しているので、ブッシング接続部２０には弾性絶縁材にて形成されたブッシング接続部絶縁カバー４０が装着されている。
【００２０】
可動電極１３の基端は、上側接続端子３１に回動可能に接続されている。各上側接続端子３１は、支持部材３４に貫通支持されており、上側接続端子３１の四角柱の先端は、支持部材３４の上面よりも突出している。各上側接続端子３１の先端には、相毎に同一の共通母線３２によって同一相が接続されている。共通母線３２は、棒状の導電性金属材料である。上側接続端子３１と共通母線３２との接続部分を共通母線接続部３０という。共通母線接続部３０は通電部が露出しているので、共通母線接続部３０には弾性絶縁材にて形成された接続部絶縁カバー６０が装着されている。なお、接続部絶縁カバー６０は、共通母線３２が中間の接続部に用いる中間部用と、共通母線３２の端部の接続部に用いる端部用との２種類がある。
【００２１】
図３及び図７に示されるように、共通母線３２は、上側接続端子３１が接続される接続部以外は、絶縁性の収縮チューブ３５が装着されている。共通母線３２の各上側接続端子３１に対応する位置に接続用の接続孔３２ａが形成されている。共通母線３２の接続孔３２ａにボルト３３の螺子部３３ａを貫装して、上側接続端子３１の端部に共通母線３２が固定部材としてのボルト３３によって固定されている。
【００２２】
図３に示されるように、中間部用の接続部絶縁カバー６０は、上側接続端子３１の先端と、共通母線３２の中間の露出している接続部と、上側接続端子３１の先端に共通母線３２を固定するボルト３３とを覆っている。このため、共通母線３２の中間の露出している通電部を接続部絶縁カバー６０によって覆う。
【００２３】
中間部用の接続部絶縁カバー６０は、四角筒状の母線被覆部６１と、母線被覆部６１の下面に筒軸方向（長手方向）全長に亘って形成された切込部６２とを備えている。母線被覆部６１は、上部に上部絶縁部６１ａ、左右側部に側部絶縁部６１ｂ，６１ｃ、下部に下部絶縁部６１ｄ，６１ｅがそれぞれ形成されている。母線被覆部６１は、共通母線３２の中間部の通電部を上部絶縁部６１ａ、側部絶縁部６１ｂ，６１ｃにより被覆するとともに、共通母線３２の下面を下部絶縁部６１ｄ，６１ｅが回り込んで覆っている。共通母線３２の収縮チューブ３５の各端部は、母線被覆部６１内に位置している。母線被覆部６１は、切込部６２によって拡開可能となっており、切込部６２を拡開することによって共通母線３２に装着される。
【００２４】
図４〜図６に示されるように、中間部用の接続部絶縁カバー６０は、母線被覆部６１の下面の中央に上側接続端子３１の先端部が嵌合する嵌合孔６３ａを有する嵌合部６３を備えている。嵌合部６３の嵌合孔６３ａは、四角柱の上側接続端子３１に対応して同一の四角形に形成されている。嵌合部６３は、上側接続端子３１の先端部の外周面を覆っている。嵌合部６３の嵌合孔６３ａの開口部分は、上側接続端子３１が装着し易いようにテーパ面となっている。なお、母線被覆部６１は、切込部６２の分だけ開口している。
【００２５】
また、嵌合部６３の筒軸方向（長手方向）の両側面には、支持部材３４の上面に当接される台座部６４を備えている。台座部６４は、嵌合部６３の側方、すなわち母線被覆部６１の下部の側方に延出して形成されており、支持部材３４の上面両端までの幅で形成されている。
【００２６】
母線被覆部６１の上面には、上側接続端子３１を共通母線３２に固定する固定部材としてのボルト３３を収納する収納部６５を備えている。収納部６５は、共通母線３２の上部にボルト３３が位置した状態で上方へ突出してボルト３３を収納する円筒形状の空間が形成されている。
【００２７】
図７に示されるように、端部用の接続部絶縁カバー６０は、上側接続端子３１の先端と、共通母線３２の端部の露出している接続部と、上側接続端子３１の先端に共通母線３２を固定しているボルト３３とを覆っている。
【００２８】
端部用の接続部絶縁カバー６０は、中間部用とは閉鎖部６６を備えている点が異なる。
端部用の接続部絶縁カバー６０は、中間部用と同様に、四角筒状の母線被覆部６１と、母線被覆部６１の下面に筒軸方向（長手方向）に亘って形成された切込部６２と、共通母線３２の端部を覆うために母線被覆部６１の開口部を閉鎖する閉鎖部６６を備えている。母線被覆部６１は、共通母線３２の端部の通電部を上部絶縁部６１ａ、側部絶縁部６１ｂ，６１ｃにより被覆するとともに、共通母線３２の下面を下部絶縁部６１ｄ，６１ｅが回り込んで覆っている。また、共通母線３２の端部側を閉鎖部６６により完全に覆っている。共通母線３２の両端の収縮チューブ３５の各端部は、母線被覆部６１内に位置している。母線被覆部６１は、切込部６２によって拡開可能となっており、切込部６２を拡開することによって共通母線３２に装着される。なお、母線被覆部６１は、切込部６２の分だけ開口している。
【００２９】
図８〜図１１に示されるように、端部用の接続部絶縁カバー６０は、中間部用と同様に、母線被覆部６１の下面の中央に上側接続端子３１の先端部が嵌合する嵌合孔６３ａを有する嵌合部６３を備えている。また、嵌合部６３の筒軸方向（長手方向）の両側面には、上側接続端子３１を支持する支持部材３４に設置される台座部６４を備えている。
【００３０】
嵌合部６３は、上側接続端子３１の先端部の外周面を覆っている。母線被覆部６１の上面には、上側接続端子３１を共通母線３２に固定する固定部材としてのボルト３３を収納する収納部６５を備えている。
【００３１】
次に、上側接続端子３１と共通母線３２とが接続された共通母線接続部３０に対する接続部絶縁カバー６０の装着方法について説明する。
図１に示されるように、上側接続端子３１に先端部に共通母線３２をボルト３３によって固定する。すなわち、同相の各上側接続端子３１に共通母線３２を位置合わせして、ボルト３３の螺子部３３ａを共通母線３２の接続孔３２ａに貫装して締め付けることによって、共通母線３２を各上側接続端子３１に固定する。
【００３２】
続いて、図３に示されるように、上側接続端子３１が共通母線３２の中間部に接続された共通母線接続部３０に中間部用の接続部絶縁カバー６０をそれぞれ装着する。すなわち、母線被覆部６１の切込部６２を使って、母線被覆部６１の下部を筒軸方向の側方に拡開し、母線被覆部６１を共通母線３２の中間部に被せ、母線被覆部６１の切込部６２の拡開を元に戻して母線被覆部６１の下部を共通母線３２の下部に回り込ませる。すると、母線被覆部６１が共通母線３２の外周面に密着するとともに、嵌合部６３の嵌合孔６３ａが上側接続端子３１の外周面に密着する。また、併せて台座部６４が支持部材３４の上面に密着する。
【００３３】
続いて、図７に示されるように、上側接続端子３１が共通母線３２の端部に接続された共通母線接続部３０に端部用の接続部絶縁カバー６０をそれぞれ装着する。すなわち、母線被覆部６１の切込部６２を使って、母線被覆部６１の下部の閉鎖部６６と反対側のみを筒軸方向の側方に拡開し、母線被覆部６１を共通母線３２の端部に被せ、母線被覆部６１の切込部６２の拡開を元に戻して母線被覆部６１の下部を共通母線３２の下部に回り込ませる。すると、母線被覆部６１が共通母線３２の外周面に密着するとともに、嵌合部６３の嵌合孔６３ａが上側接続端子３１の外周面に密着する。また、併せて台座部６４が支持部材３４の上面に密着する。
【００３４】
よって、図３及び図７に示されるように、中間部用と端部用の接続部絶縁カバー６０によって、共通母線接続部３０が全方位において覆われているので、共通母線接続部３０に絶縁バリヤを使うことなく絶縁を確保することができる。すなわち、共通母線接続部３０の上面を接続部絶縁カバー６０の母線被覆部６１の上部絶縁部６１ａ及び収納部６５にて覆ったので絶縁を確保することができる。また、共通母線接続部３０の側面を母線被覆部６１の側部絶縁部６１ｂ，６１ｃにて覆ったので絶縁を確保することができる。また、共通母線接続部３０の下面を母線被覆部６１の下部絶縁部６１ｄ，６１ｅにて覆ったので絶縁を確保することができる。また、上側接続端子３１の端部を嵌合部６３及び台座部６４にて覆ったので絶縁を確保することができる。
【００３５】
以上、説明した実施形態によれば、以下の効果を奏することができる。
（１）筒状の母線被覆部６１と、母線被覆部６１の下面に軸方向に亘って形成された切込部６２と、母線被覆部６１の下面の中央に上側接続端子３１の端部が嵌合する嵌合孔６３ａを有する嵌合部６３とを備えた。このため、共通母線接続部３０の上面及び側面、すなわち異相間における絶縁を確保することができる。そして、共通母線接続部３０に装着された接続部絶縁カバー６０の嵌合部６３は、上側接続端子３１の端部を嵌合するので、上側接続端子３１の端部が覆われる。このため、共通母線接続部３０の下部、すなわち対地間における絶縁を確保することができる。よって、共通母線接続部３０の絶縁バリヤを廃止することができるので、開閉器の小型化、部品点数の削減を行うことができる。
【００３６】
（２）接続部絶縁カバー６０を共通母線接続部３０に装着した際に、上側接続端子３１を支持する支持部材３４に台座部６４が設置されるので、上側接続端子３１の端部が確実に覆われて、絶縁を確保することができる。
【００３７】
（３）母線被覆部６１の上面に収納部６５を備えたので、ボルト３３を含めて共通母線接続部３０を確実に覆い、絶縁を確保することができる。
（４）共通母線３２の端部においては母線被覆部６１の端部側に閉鎖部６６を備えるので、共通母線３２の端部を覆い、絶縁を確保することができる。
【００３８】
なお、上記実施形態は、これを適宜変更した以下の形態にて実施することができる。
・上記構成において、母線被覆部６１の筒軸方向の長さは絶縁が保たれる範囲で任意に変更可能である。
【００３９】
・上記構成において、台座部６４の母線被覆部６１からの延出量は任意に変更可能である。
・上記実施形態では、母線被覆部６１の切込部６２に隙間を設けたが、この隙間の幅は絶縁が保たれる範囲で任意に変更可能であって、隙間を極力なくしてもよい。
【００４０】
・上記実施形態では、母線被覆部６１の上面に収納部６５を備えたが、接続部絶縁カバー６０の伸張によってボルト３３を収納することができれば、収納部６５を省略した構成を採用してもよい。
【００４１】
・上記実施形態では、台座部６４を備えたが、嵌合部６３で十分であれば、台座部６４を省略した構成を採用してもよい。
【符号の説明】
【００４２】
１０…ケース、１１…回路開閉部、１２…固定電極、１３…可動電極、２０…ブッシング接続部、２１…下側接続端子、２２…ブッシング、２３…接続導体、２３ａ…接続孔、２４…ボルト、２４ａ…螺子部、３０…共通母線接続部、３１…上側接続端子、３２…共通母線、３２ａ…接続孔、３３…ボルト、３３ａ…螺子部、３４…支持部材、３５…収縮チューブ、４０…ブッシング接続部絶縁カバー、６０…接続部絶縁カバー、６１…母線被覆部、６１ａ…上部絶縁部、６１ｂ，６１ｃ…側部絶縁部、６１ｄ，６１ｅ…下部絶縁部、６２…切込部、６３…嵌合部、６３ａ…嵌合孔、６４…台座部、６５…収納部、６６…閉鎖部。
【図１】
0005655031.tif 000002
【図２】
0005655031.tif 000003
【図３】
0005655031.tif 000004
【図４】
0005655031.tif 000005
【図５】
0005655031.tif 000006
【図６】
0005655031.tif 000007
【図７】
0005655031.tif 000008
【図８】
0005655031.tif 000009
【図９】
0005655031.tif 000010
【図１０】
0005655031.tif 000011
【図１１】
0005655031.tif 000012